(57)【要約】【課題】作業者の手指を傷つけることがなく、ケーブル導入孔へのネズミの侵入を阻止することのできるケーブル導入構造を提供する。【解決手段】ケーブル導入路に連通するケーブル導入孔を有する筐体２と、筐体２に固定され、ケーブル導入孔の一部を閉塞する固定板３と、固定板３に対して着脱自在に取り付けられ、ケーブル導入孔の延在方向と交差する方向である移動方向ＤＭに移動することによって、ケーブルのケーブル導入路への導入を許容する可動板４と、固定板３及び可動板４が取り付けられた筐体２をケーブル導入路に対して固定する固定手段５とを備え、固定板３及び可動板４は、筐体２がケーブル導入路に対して固定された状態において、移動方向ＤＭに交差する方向に沿って交互に複数個配置されている、ケーブル導入構造。【選択図】図１
0003217998.tif 000002
【実用新案登録請求の範囲】
【請求項１】
ケーブル導入路に連通するケーブル導入孔を有する筐体と、
前記筐体に固定され、前記ケーブル導入孔の一部を閉塞する固定板と、
前記固定板に対して着脱自在に取り付けられ、前記ケーブル導入孔の延在方向と交差する方向である移動方向に移動することによって、ケーブルの前記ケーブル導入路への導入を許容する可動板と、
前記固定板及び前記可動板が取り付けられた前記筐体を前記ケーブル導入路に対して固定する固定手段とを備え、
前記固定板及び前記可動板は、前記筐体が前記ケーブル導入路に対して固定された状態において、前記移動方向に交差する方向に沿って交互に複数個配置されていることを特徴とするケーブル導入構造。
【請求項２】
請求項１に記載のケーブル導入構造において、
前記可動板は、前記ケーブル導入孔に導入された前記ケーブルの径に応じて前記移動方向に沿って移動可能であることを特徴とするケーブル導入構造。
【請求項３】
請求項１又は請求項２に記載のケーブル導入構造において、
前記可動板の先端部は、前記可動板の内側に折り返されていることを特徴とするケーブル導入構造。
【請求項４】
請求項１乃至請求項３の何れか一項に記載のケーブル導入構造において、
前記複数個配置された前記可動板は、長辺部と短辺部とを有する矩形状の板状部材であり、
前記短辺部の長さが前記ケーブルの種類に応じて異なることを特徴とするケーブル導入構造。
【考案の詳細な説明】
【技術分野】
【０００１】
本考案は、ケーブル導入構造に関する。
【背景技術】
【０００２】
近年、インテリジェントビル等の建物にある制御室では、各種の機器類及びケーブル等の発熱部で発生する熱を管理するため、年間を通じて空調が稼働している。このような快適な温度空間は、ネズミの営巣に好適である。そのため、ネズミは好んで制御室に侵入する。その侵入したネズミは、発熱部に身を潜めて、快適な温度を得て休息することが少なくない。
【０００３】
一方、ネズミは、門歯という前歯が伸び続ける習性がある。したがって、硬い物を噛んで門歯を擦り減らし続けないと、口が閉まらなくなったり開かなくなったりして餓死してしまうことがある。このような習性に起因し、ネズミはケーブルの被覆部をかじったり、ケーブルの金属部で門歯を研いだり擦り減らしたりする。
【０００４】
ケーブルには、建物の床下部にあるケーブル導入孔に導入されるものがある。その導入されたケーブルは、関係箇所へと這い回されて電力供給や通信を可能としている。そのため、ケーブルがネズミにかじられると、ショート（短絡）や漏電が発生している。まず、火災発生原因の上位にある漏電による火災の発生がある。また、機能不全に陥った事例としては、福島原発の冷却装置の不作動によるメルトダウンの問題、列車や電車の停止、高速道路ではＥＴＣ課金システムの機能不全、各社のコンピュータシステムのシステムダウンなど、現在のデジタル社会を停止させてしまう影響が随所に発生している。
【０００５】
一方、このような不具合を防止すべく、ケーブル導入孔に防鼠ブラシを差し込んだり、ケーブル導入孔を発泡ウレタンのスプレー剤で閉鎖したりする等の施工作業がなされていた。
【考案の概要】
【考案が解決しようとする課題】
【０００６】
しかし、防鼠ブラシを用いた従来の施工作業は、金属製の鋭利なブラシ針が使用されるため、作業者の手指を傷つける虞があった。
【０００７】
また、発泡ウレタンを用いた従来の施工作業は、ネズミが発泡ウレタンをかじると孔が開いてしまうことがあり、ネズミの侵入を阻止するには不完全であった。
【０００８】
そこで、本考案は、作業者の手指を傷つけることがなく、ケーブル導入孔に対するネズミの侵入を阻止することのできるケーブル導入構造を提供することを目的とする。
【課題を解決するための手段】
【０００９】
本考案に係るケーブル導入構造は、ケーブル導入路に連通するケーブル導入孔を有する筐体と、前記筐体に固定され、前記ケーブル導入孔の一部を閉塞する固定板と、前記固定板に着脱自在に取り付けられ、前記ケーブル導入孔の延在方向と交差する方向である移動方向に移動することによって、前記ケーブルの前記ケーブル導入路への導入を許容する可動板と、前記固定板及び前記可動板が取り付けられた前記筐体を前記ケーブル導入路に対して固定する固定手段とを備え、前記固定板及び前記可動板は、前記筐体が前記ケーブル導入路に対して固定された状態において、前記移動方向に交差する方向に沿って交互に複数個配置されていることを特徴とする。
【考案の効果】
【００１０】
本考案によれば、作業者の手指を傷つけることがなく、ケーブル導入孔へのネズミの侵入を阻止することのできるケーブル導入構造が得られうる。
【図面の簡単な説明】
【００１１】
【図１】本考案の一実施形態に係るケーブル導入構造を示す正面図である。
【図２】筐体の形状を示す斜視図である。
【図３】可動板が移動する様子を示す斜視図である。
【図４】可動板の先端部の形状を示す斜視図である。
【図５】本考案の一実施形態に係るケーブル導入構造が設置されるケーブル導入路を示す斜視図である。
【考案を実施するための形態】
【００１２】
以下、本考案を実施するための形態について説明する。なお、以下に説明する実施形態は、本考案の実施形態の一例を示したものであり、これにより本考案の範囲が狭く解釈されることはない。
【００１３】
図１は、本考案の一実施形態に係るケーブル導入構造を示す図である。図２は、筐体の形状を示す斜視図である。図３は、可動板が移動する様子を示す斜視図である。図４は、可動板の先端部の形状を示す斜視図である。図５は、本考案の一実施形態に係るケーブル導入構造が設置されるケーブル導入路を示す斜視図である。
【００１４】
ケーブル導入構造１は、図１に示すように、筐体２と、固定板３と、可動板４と、固定手段５とを有している。
【００１５】
筐体２は、図５に示すケーブル導入孔ＩＨに設置される。筐体２は、例えば木材の上にアルミ板が被せられており、図２に示すように、本体部２０と、フランジ部２１とを有する。本体部２０は、略矩形開口（不図示）を有する枠体に形成されている。フランジ部２１には、図１に示すように、コンクリート面等に固定手段５を挿入するための孔Ｈ１が形成される。
【００１６】
固定板３は、例えば木材の上にアルミ板が被せられてなる。固定板３は、図１に示すように、筐体２に対して簾状に固定されている。固定板３は、図１に示すように、ケーブル導入孔ＩＨ（図５参照）の一部を閉塞する。本考案にいう着脱自在とは、ネジ等の締着具を用いての取り付けの他に、嵌り合う構造を用いての取り付けを含むものである。
【００１７】
可動板４は、例えばアルミニウムからなり、図３に示すように、固定板３に対して着脱自在に取り付けられる。可動板４は、図３に示すように、移動方向ＤＭに移動することによって、ケーブルＣのケーブル導入路ＩＰ（図５参照）への導入を許容する。移動方向ＤＭとは、ケーブル導入孔ＩＨ（図５参照）の延在方向と交差する方向であり、本実施形態では、ケーブル導入路ＩＰ（図５参照）の延在方向に対して鉛直な方向とする。図３に示すように可動板４を上方向に移動させると、ケーブル導入路ＩＰ（図５参照）に連通するケーブル導入孔ＩＨ（図５参照）に通じる孔Ｈ２が形成される。
【００１８】
可動板４は、図３に示すように、孔Ｈ２に導入されたケーブルＣの径に応じて移動方向ＤＭに沿って移動可能である。「ケーブルの径に応じて」とは、孔Ｈ２に導入されるケーブルＣの本数が増えるほど可動板４が上方向に移動することを意味する。
【００１９】
可動板４は、図３に示すように、孔Ｈ２に導入されたケーブルＣの径に相当する高さの分だけ上昇する。可動板４の表面には、図１に示すように、目印４０が設けられている。本実施形態の目印４０は、図１に示すように、移動方向ＤＭに沿って等間隔をおいて４箇所に設けられている。目印４０は、例えば赤く塗るなどして可動板４の他の部分と判別しやすくなっている。この目印４０は線であり、孔Ｈ２（図３参照）に導入されるケーブルＣの本数を認識できるものである。なお、この線に文字や記号を付記しても良い。これにより、積み込まれたケーブルＣの本数を作業者が視覚的に認識しやすくなる。
【００２０】
図１に示す目印４０の位置Ｐ１，Ｐ２，Ｐ３，Ｐ４は、孔Ｈ２（図３参照）に導入されているケーブルＣの本数を示す目安となる。すなわち、目印４０の位置Ｐ１と、フランジ部２１の面Ｓ１の位置が一致していれば、孔Ｈ２（図３参照）に導入されているケーブルＣの本数が０本であることを示す。目印４０の位置Ｐ２と、フランジ部２１の面Ｓ１の位置が一致していれば、孔Ｈ２（図３参照）に導入されているケーブルＣの本数が１本であることを示す。目印４０の位置Ｐ３と、フランジ部２１の面Ｓ１の位置が一致していれば、孔Ｈ２（図３参照）に導入されているケーブルＣの本数が２本であることを示す。目印４０の位置Ｐ１と、フランジ部２１の面Ｓ１の位置が一致していれば、孔Ｈ２（図３参照）に導入されているケーブルＣの本数が３本であることを示す。孔Ｈ２（図３参照）にケーブルＣが導入された状態になると可動板４は下方に降りることができず、上がりっぱなしの状態でケーブルＣの上に載置される。
【００２１】
可動板４の上部には、図３に示すように、１本のビスＢ（図１参照）を挿入するための孔４１が設けられている。筐体２側にも、孔４１に対応する孔（不図示）が設けられている。これにより、可動板４を介して筐体２に打ち込まれたビスＢ（図１参照）を引き抜くだけで可動板４を筐体２から取り外すことができる。さらに、ケーブルＣを導入する際に、孔Ｈ２（図３参照）を大きく開放することができ、ケーブル導入作業の作業性を向上させることができる。
【００２２】
図４に示すように、可動板４の下端部４２（先端部）は、可動板４の内側（上側）に折り返されている。ケーブルＣと接触する部分には、凸状の丸みを帯びた折り返し縁４３が形成されている。これにより、例えば、大地震等の発生時に下端部４２との接触によってケーブルＣが削られて損傷する虞がない。また、仮に可動板４の下端部４２にバリがあったとしても丸みを帯びた折り返し縁４３が形成されるのでバリとの接触によってケーブルＣが損傷する虞がない。
【００２３】
固定手段５は、例えば、コンクリート駆体ＣＳ（図５参照）にねじ込まれるコンクリートビスや、コンクリート駆体ＣＳ（図５参照）に打ち込まれるアンカーボルト等である。固定手段５は、固定板３及び可動板４が取り付けられた筐体２のフランジ部２１をケーブル導入路ＩＰ（図５参照）に対して固定する。
【００２４】
図１に示すように、６枚の固定板３及び５枚の可動板４は、筐体２がケーブル導入路ＩＰに対して固定された状態において、移動方向ＤＭに交差する方向に沿って交互に配置されている。本実施形態では、移動方向ＤＭに交差する方向とは、移動方向ＤＭに対して鉛直な方向とする。
【００２５】
図１に示すように、５枚の可動板４は、長辺部と短辺部を有する矩形状の板状部材である。短辺部の長さはケーブルＣの種類に応じて異なる。すなわち、５枚の可動板４のそれぞれは幅が異なっている。なお、「ケーブルの種類に応じて」とは、単芯ケーブル、多芯ケーブル、同軸ケーブル、光ケーブル等の各種ケーブルの径に合わせて別々の可動板４を用意することをいう。
【００２６】
以上、本実施形態に係るケーブル導入構造１の施工では、従来の防鼠ブラシのような鋭利なブラシ針が使用されないので、施工時に作業者の手指を傷つける虞がない。
【００２７】
また、本実施形態に係るケーブル導入構造１によれば、筐体２が例えばアルミニウムと木材の組み合わせからなるので、ネズミにかじられても従来の発泡ウレタンのように簡単に孔が開いてしまう虞はない。
【００２８】
また、本実施形態に係るケーブル導入構造１によれば、作業者の手指を傷つけることがなく、ケーブル導入孔ＩＨへのネズミの侵入を阻止することができる。
【００２９】
以上、本考案のケーブル導入構造を実施形態に基づいて説明してきたが、具体的な構成については、この実施形態に限られるものではなく、実用新案登録請求の範囲の各請求項に係る考案の要旨を逸脱しない限り、設計の変更や追加等は許容される。
【符号の説明】
【００３０】
１・・・ケーブル導入構造
２・・・筐体
３・・・固定板
４・・・可動板
５・・・固定手段
Ｃ・・・ケーブル
ＤＭ・・・移動方向
ＩＨ・・・ケーブル導入孔
ＩＰ・・・ケーブル導入路
【図１】
0003217998.tif 000003
【図２】
0003217998.tif 000004
【図３】
0003217998.tif 000005
【図４】
0003217998.tif 000006
【図５】
0003217998.tif 000007